(57)【特許請求の範囲】
【請求項１】
折り畳まれることにより収納用形態にされたエアバッグを、乗物用シートに着座した乗員の側方近傍の収納部に収納し、前記乗物用シートの側方から加わる衝撃に応じて供給される膨張用ガスにより前記エアバッグを、折り状態を解消させながら、前記乗員の側方で前方へ向けて展開膨張させるようにしたサイドエアバッグ装置であって、
前記エアバッグにおいて膨張用ガスにより膨張する膨張部は、面状の区画部材により、膨張用ガスが供給される上流側膨張部と、前記上流側膨張部の前側に隣接し、かつ前記上流側膨張部を経由した膨張用ガスが供給される下流側膨張部とに区画され、
前記区画部材には、前記上流側膨張部による乗員の拘束状況に応じ、又は前記上流側膨張部の内圧に応じ、前記上流側膨張部から前記下流側膨張部への膨張用ガスの流通を規制及び規制解除する弁が設けられており、
前記収納用形態のエアバッグは、非膨張展開状態のエアバッグに対し、その上部を下方へ折り返す第１の折りと、前記第１の折りの後に、前方から後方へ向けて折り畳む第２の折りとが少なくとも行なわれることにより形成されるものであって、
前記第１の折りは、前記上流側膨張部及び前記下流側膨張部の両方に対し行なわれ、
前記第２の折りは、前記上流側膨張部を対象として行なわれ、かつ折り返す方向を交互に変えて折り畳む蛇腹折りと、前記下流側膨張部を対象として行なわれ、かつ同一方向に繰り返し折り畳むロール折りとからなり、
前記第２の折りについて、前記蛇腹折りは、前記上流側膨張部に対して上下方向に延びる複数の折り線が設定され、隣り合う折り線の間隔が蛇腹折りにおける折り幅となり、前記ロール折りは、前記下流側膨張部に対して上下方向に延びる複数の折り線が設定され、折り線に沿って順に渦巻き状に折り畳まれ、隣り合う折り線の間隔がロール折りにおける折り幅となり、
前記第２の折りについては、前記蛇腹折りにおける折り幅にて蛇腹状に折り畳まれるとともに前記ロール折りにおける折り幅にて渦巻き状に折り畳まれることにより、前記収納用形態となることを特徴とするサイドエアバッグ装置。
【請求項２】
前記弁は、開口部及び一対の弁体部を有し、
前記両弁体部は、前記上流側膨張部による乗員拘束前には、前記上流側膨張部内の膨張用ガスにより押圧されて互いに接触することで、前記開口部での膨張用ガスの流通を規制し、前記上流側膨張部による乗員拘束時には、その拘束に伴い加わる外力により、前記区画部材を通じて撓んで互いに離間することで、前記開口部での膨張用ガスの流通を許容するものである請求項１に記載のサイドエアバッグ装置。
【請求項３】
前記上流側膨張部は、前記乗員の肩部の側方で展開膨張し、
前記下流側膨張部は、前記乗員の胸部の側方で展開膨張するものである請求項１又は２に記載のサイドエアバッグ装置。
【請求項４】
前記エアバッグは、前記乗員の上半身の下部側方で展開膨張する下保護膨張部をさらに備えており、
前記収納用形態のエアバッグは、前記第２の折りの後に、前記下保護膨張部に対応する箇所を上方へ折り返す第３の折りが行なわれることにより形成されるものである請求項１〜３のいずれか１つに記載のサイドエアバッグ装置。
【発明の詳細な説明】
【技術分野】
【０００１】
本発明は、乗物用シートの側方から乗物に衝撃が加わった場合に、その乗物用シートに着座している乗員の側方でエアバッグを展開膨張させて、乗員を衝撃から保護するサイドエアバッグ装置に関するものである。
【背景技術】
【０００２】
車両のサイドドア等のボディサイド部に対し側突による衝撃が加わった場合に、その衝撃から乗員を保護する装置として、サイドエアバッグ装置が知られている。同装置は、車両の側突に応じて膨張用ガスを噴出するインフレータと、そのインフレータを自身の後部に内包し、同インフレータから供給される膨張用ガスにより展開膨張させられるエアバッグとを備える。エアバッグ及びインフレータは、車両用シートに着座している乗員の側方近傍、例えば、シートバック（背もたれ部）における車外側の収納部に収納される。
【０００３】
上記構成のサイドエアバッグ装置では、側突によりボディサイド部に側方から衝撃が加わると、インフレータから膨張用ガスが噴出されてエアバッグ内に供給される。エアバッグは、膨張用ガスにより展開膨張してシートバックを破断し、前方へ飛び出す。エアバッグは、車両用シートに着座している乗員とボディサイド部との間の狭い隙間を通り、その乗員を保護し得る大きさ・形状に展開膨張する。このエアバッグにより、ボディサイド部を通じて乗員へ伝わる側方からの衝撃が緩和される。
【０００４】
上記サイドエアバッグ装置では、エアバッグ及びインフレータが、シートバックにおける限られた大きさの収納部に収納されるため、エアバッグをコンパクトな形態（収納用形態）にすることが要求される。
【０００５】
これに対しては、例えば、特許文献１に記載されているように、非膨張展開状態のエアバッグを折り畳んで収納用形態にすることが行なわれる。まず、非膨張展開状態のエアバッグは、インフレータよりも前側部分が前方から後方へ向けて折り畳まれることにより、図１９（Ａ）に示すように、上下方向に細長い中間形態にされる。この中間形態のエアバッグ２０１のインフレータ２０２よりも上側部分２０３が下方へ折り返されるとともに、下側部分２０４が上方へ折り返される。これらの折り返しにより、エアバッグ２０１は、図１９（Ｂ）に示すように、前後方向にも上下方向にもコンパクトな収納用形態にされる。
【先行技術文献】
【特許文献】
【０００６】
【特許文献１】特開２００８−２４７２１２号公報（図７）
【発明の概要】
【発明が解決しようとする課題】
【０００７】
上記のように、収納用形態にされてシートバックの収納部に収納されたエアバッグ２０１に対し、インフレータ２０２から膨張用ガスが供給された場合、エアバッグ２０１の各部が膨張し、折り畳まれた順とは逆の順に折り状態を解消（展開）する。後から折り畳まれた部分が、先に折り畳まれた部分の折り状態の解消を規制するからである。下方への折り返しや、上方への折り返しが、前方から後方へ向かう折り畳みよりも後に行なわれる従来のサイドエアバッグ装置では、収納用形態のエアバッグ２０１において折り返された上側部分２０３が、図１９（Ｂ）において二点鎖線で示すように、上端部を支点として上方へ回動することで、折り状態を解消（展開）する。この際、上側部分２０３の展開方向前側に障害物Ｏがあると、前上方へ回動する上側部分２０３が、障害物Ｏを強く前上方へ押す、すなわち、上側部分２０３が障害物Ｏと不必要に干渉するおそれがある。
【０００８】
こうした現象は、サイドエアバッグ装置が設けられた乗物であれば、車両に限らず共通して起こり得る。
なお、上記収納用形態のエアバッグ２０１において、折り返された下側部分２０４は、その下端部を支点として前下方へ回動することで、折り状態を解消（展開）する。そして、上記のように上側部分２０３及び下側部分２０４が回動して、収納用形態のエアバッグ２０１が、図１９（Ａ）に示すように、上下方向に細長い中間形態になると、そのエアバッグ２０１は後方から前方へ向けて折り状態を解消（展開）する。
【０００９】
本発明はこのような実情に鑑みてなされたものであって、その目的は、エアバッグの展開方向前側に障害物があっても、エアバッグがその障害物と不必要な干渉を起こすのを抑制することのできるサイドエアバッグ装置を提供することにある。
【課題を解決するための手段】
【００１０】
上記の目的を達成するために、請求項１に記載の発明は、折り畳まれることにより収納用形態にされたエアバッグを、乗物用シートに着座した乗員の側方近傍の収納部に収納し、前記乗物用シートの側方から加わる衝撃に応じて供給される膨張用ガスにより前記エアバッグを、折り状態を解消させながら、前記乗員の側方で前方へ向けて展開膨張させるようにしたサイドエアバッグ装置であって、前記エアバッグにおいて膨張用ガスにより膨張する膨張部は、面状の区画部材により、膨張用ガスが供給される上流側膨張部と、前記上流側膨張部の前側に隣接し、かつ前記上流側膨張部を経由した膨張用ガスが供給される下流側膨張部とに区画され、前記区画部材には、前記上流側膨張部による乗員の拘束状況に応じ、又は前記上流側膨張部の内圧に応じ、前記上流側膨張部から前記下流側膨張部への膨張用ガスの流通を規制及び規制解除する弁が設けられており、前記収納用形態のエアバッグは、非膨張展開状態のエアバッグに対し、その上部を下方へ折り返す第１の折りと、前記第１の折りの後に、前方から後方へ向けて折り畳む第２の折りとが少なくとも行なわれることにより形成されるものであって、前記第１の折りは、前記上流側膨張部及び前記下流側膨張部の両方に対し行なわれ、前記第２の折りは、前記上流側膨張部を対象として行なわれ、かつ折り返す方向を交互に変えて折り畳む蛇腹折りと、前記下流側膨張部を対象として行なわれ、かつ同一方向に繰り返し折り畳むロール折りとからなり、前記第２の折りについて、前記蛇腹折りは、前記上流側膨張部に対して上下方向に延びる複数の折り線が設定され、隣り合う折り線の間隔が蛇腹折りにおける折り幅となり、前記ロール折りは、前記下流側膨張部に対して上下方向に延びる複数の折り線が設定され、折り線に沿って順に渦巻き状に折り畳まれ、隣り合う折り線の間隔がロール折りにおける折り幅となり、前記第２の折りについては、前記蛇腹折りにおける折り幅にて蛇腹状に折り畳まれるとともに前記ロール折りにおける折り幅にて渦巻き状に折り畳まれることにより、前記収納用形態となることを要旨とする。
【００１１】
上記の構成によれば、乗物に対し、乗物用シートの側方から衝撃が加わらないときには、エアバッグに膨張用ガスが供給されない。エアバッグは、折り畳まれた状態で収納部に収納され続ける。
【００１２】
一方、側突等により、乗物に対し、乗物用シートの側方から衝撃が加わると、エアバッグに膨張用ガスが供給され、その膨張用ガスの圧力がエアバッグの各部に加わる。エアバッグの各部が膨張し、折り畳まれた順とは逆の順に折り状態を解消（展開）する。
【００１３】
エアバッグを前方から後方へ向けて折り畳む第２の折りが、エアバッグの上部を下方へ折り返す第１の折りよりも後に行なわれる請求項１に記載の発明では、収納用形態のエアバッグは、まず後方から前方へ向けて折り状態を解消（展開）する。この際、エアバッグの展開方向前側に障害物があると、エアバッグはその障害物を前方へ押すにとどまり、障害物を前上方へ押すといった不必要な干渉を起こすことはない。
【００１４】
上記第２の折りが解消されたエアバッグでは、第１の折りが解消される。この解消は、エアバッグの折り返された部分が上方へ回動することにより行なわれる。
【００１５】
上記の構成によれば、乗物用シートの側方から衝撃が加わると、エアバッグの膨張部では、上流側膨張部及び下流側膨張部のうち、まず上流側膨張部が膨張用ガスの供給を受けて膨張を開始する。
【００１６】
ここで、上流側膨張部については、折りが解消されやすく展開しやすい蛇腹折りがなされている。そのため、より早く展開膨張させることが望まれる上流側膨張部は、速やかに前方へ展開膨張する。
【００１７】
上記上流側膨張部による乗員の拘束状況に応じ、又は上流側膨張部の内圧に応じ、区画部材に設けられた弁により、上流側膨張部から下流側膨張部への膨張用ガスの流通が規制されると、膨張部のうち専ら上流側膨張部の内圧が上昇して同上流側膨張部が展開膨張する。
【００１８】
一方、前記衝撃により、乗物において乗物用シートの側方に存在する乗物構成部材が乗物用シート側へ進入し、エアバッグを乗員に押付けると、その乗員は主として上流側膨張部によって拘束される。乗員の拘束状況に応じ、又は上流側膨張部の内圧に応じ、上記弁により上記流通規制が解除されて、上流側膨張部から下流側膨張部への膨張用ガスの流通が許容されると、上流側膨張部の内圧が低下し、下流側膨張部の内圧が上昇する。
【００１９】
ここで、下流側膨張部についてはロール折りされている。そのため、下流側膨張部は、蛇腹折りに比べると折りが解消されにくいものの、障害物に展開を阻害されにくく、乗員と乗物構成部材との狭い隙間に入り込みやすい。
【００２０】
請求項２に記載の発明は、請求項１に記載の発明において、前記弁は、開口部及び一対の弁体部を有し、前記両弁体部は、前記上流側膨張部による乗員拘束前には、前記上流側膨張部内の膨張用ガスにより押圧されて互いに接触することで、前記開口部での膨張用ガスの流通を規制し、前記上流側膨張部による乗員拘束時には、その拘束に伴い加わる外力により、前記区画部材を通じて撓んで互いに離間することで、前記開口部での膨張用ガスの流通を許容するものであることを要旨とする。
【００２１】
上記の構成によれば、上流側膨張部による乗員拘束前には、両弁体部が同上流側膨張部内の膨張用ガスによって押圧されて互いに接触し、開口部での膨張用ガスの流通を規制する。上流側膨張部内の膨張用ガスは、開口部を通じ下流側膨張部へ流れないか、流れたとしても僅かである。そのため、エアバッグの膨張部のうち専ら上流側膨張部の内圧が上昇して、上流側膨張部が展開膨張する。
【００２２】
これに対し、上流側膨張部による乗員拘束時には、その拘束に伴い加わる外力によって膨張部が押圧されて変形する。これに伴い、区画部材を通じて両弁体部が撓んで互いに離間する。上記流通規制が解除され、上流側膨張部内の膨張用ガスが、開口部を通じ下流側膨張部へ流出することを許容される。開口部を通じた膨張用ガスの流出により上流側膨張部の内圧が低下し、下流側膨張部の内圧が上昇し、同下流側膨張部が展開膨張する。
【００２３】
請求項３に記載の発明は、請求項１又は２に記載の発明において、前記上流側膨張部は、前記乗員の肩部の側方で展開膨張し、前記下流側膨張部は、前記乗員の胸部の側方で展開膨張するものであることを要旨とする。
【００２４】
ここで、乗員の上半身の上部に対し側方から衝撃が加わった場合の耐衝撃性は、肩部において胸部よりも勝っている。そのため、エアバッグの展開膨張に伴い乗員の上半身の上部に側方から作用する押圧力は、肩部において胸部よりも高いことが望ましい。
【００２５】
この点、請求項３に記載の発明では、まず、上流側膨張部が乗員の肩部の側方で展開膨張し、続いて、下流側膨張部が胸部の側方で展開膨張する。
従って、エアバッグによる乗員の拘束初期には、乗員の上半身のうち胸部よりも耐衝撃性の高い肩部が、早期に内圧が高くなる上流側膨張部によって強く押圧される。また、同拘束初期には、乗員の上半身のうち肩部よりも耐衝撃性の低い胸部が、内圧が上流側膨張部ほど高くならない下流側膨張部によって押圧される。
【００２６】
請求項４に記載の発明は、請求項１〜３のいずれか１つに記載の発明において、前記エアバッグは、前記乗員の上半身の下部側方で展開膨張する下保護膨張部をさらに備えており、前記収納用形態のエアバッグは、前記第２の折りの後に、前記下保護膨張部に対応する箇所を上方へ折り返す第３の折りが行なわれることにより形成されるものであることを要旨とする。
【００２７】
上記の構成によれば、エアバッグは下保護膨張部を備えることで、備えないものよりも下方に長い形状となる。しかし、エアバッグでは、第２の折りの後に、下保護膨張部に対する第３の折りが行なわれている。そのため、収納用形態では、エアバッグは上下に短くコンパクトな形態となる。乗物に対し乗物用シートの側方から衝撃が加わらず、エアバッグに膨張用ガスが供給されないときには、エアバッグはこの収納用形態を維持する。
【００２８】
一方、側突等により、乗物に対し、乗物用シートの側方から衝撃が加わると、膨張用ガスがエアバッグに供給され、その膨張用ガスの圧力がエアバッグの各部に加わる。エアバッグの各部が膨張し、折り畳まれた順とは逆の順に折り状態を解消（展開）する。下保護膨張部を上方へ折り返す第３の折りが、前方から後方へ向けて折り畳む第２の折りよりも後に行なわれる請求項４に記載の発明では、収納用形態のエアバッグは、まず下保護膨張部が前下方へ向けて折り状態を解消（展開）する。その後に、エアバッグは後方から前方へ向けて折り状態を解消（展開）する。
【発明の効果】
【００２９】
本発明によれば、非膨張展開状態のエアバッグに対し、その上部を下方へ折り返す第１の折りと、前方から後方へ向けて折り畳む第２の折りとを少なくとも行なうことにより、エアバッグを収納用形態にしたため、エアバッグの展開方向前側に障害物があっても、エアバッグがその障害物と不必要な干渉を起こすのを抑制することができる。
【図面の簡単な説明】
【００３０】
【図１】本発明を具体化した一実施形態において、サイドエアバッグ装置が設けられた車両用シートを乗員とともに示す側面図。
【図２】一実施形態において、車両用シート、乗員及びボディサイド部の位置関係を示す平断面図。
【図３】一実施形態において、シートバックの収納部に組み込まれたエアバッグモジュールを示す部分平断面図。
【図４】一実施形態において、エアバッグが非膨張展開状態にされたエアバッグモジュールを示す側面図。
【図５】図４のＡ−Ａ線に沿った区画部材等の断面構造を模式的に示す部分拡大断面図。
【図６】図３の状態から上保護膨張部がその一部を収納部内に残してシートバックから飛び出して展開膨張した状態を示す部分平断面図。
【図７】（Ａ）は、図４の非膨張展開状態のエアバッグが車幅方向の中央部分で切断されたエアバッグモジュールを、乗員とともに示す部分側断面図、（Ｂ）は（Ａ）におけるＵ部を拡大して示す部分側断面図。
【図８】一実施形態のエアバッグが展開膨張して区画部材が緊張したエアバッグモジュールの内部構造について、上流側から見た状態を示す断面図。
【図９】一実施形態を示す図であり、区画部材における調圧弁の近傍部分について上流側から見た状態を示す部分斜視図。
【図１０】一実施形態において、下保護膨張部が展開膨張したときの乗員の腰部と、シートバックとの関係を模式的に示す平断面図。
【図１１】一実施形態を示す図であり、（Ａ）はエアバッグを折り畳む前の状態を示す側面図、（Ｂ）は（Ａ）の平断面図。
【図１２】一実施形態を示す図であり、（Ａ）は図１１（Ａ）のエアバッグの上部を下方へ折り返した状態を示す側面図、（Ｂ）は（Ａ）の状態からエアバッグの一部を前方から後方へ折り畳んだ状態を示す平断面図、（Ｃ）は（Ｂ）の状態からさらにエアバッグを折り畳んだ状態を示す平断面図。
【図１３】一実施形態を示す図であり、（Ａ）は図１２（Ｃ）のエアバッグをさらに折り畳んで中間形態にした状態を示す側面図、（Ｂ）はその平断面図。
【図１４】一実施形態を示す図であり、（Ａ）は図１３（Ａ）の中間形態のエアバッグ下部を前上方へ折り返して収納用形態にした状態を示す側面図、（Ｂ）はその平断面図。
【図１５】一実施形態において、収納用形態のエアバッグが展開膨張する様子を模式的に示す側面図。
【図１６】図１に対応する図であり、上保護膨張部及び下保護膨張部がともに展開膨張した状態を示す側面図。
【図１７】図２に対応する図であり、上流側膨張部及び下流側膨張部がともに展開膨張した状態を示す平断面図。
【図１８】（Ａ）〜（Ｃ）は、一実施形態における調圧弁の動作を示す模式図。
【図１９】従来のサイドエアバッグ装置を示す図であり、（Ａ）はエアバッグが折り畳まれる途中の形態（中間形態）を示す側面図、（Ｂ）は収納用形態のエアバッグにおける上側の折り返し部分が、折りを解消するために前上方へ回動する様子を模式的に示す側面図。
【発明を実施するための形態】
【００３１】
以下、本発明を、乗物としての車両に適用されるサイドエアバッグ装置に具体化した一実施形態について、図１〜図１８を参照して説明する。
なお、以下の記載においては、車両の前進方向を前方として説明し、車両の後進方向を後方として説明する。また、車両の幅方向（車幅方向）についての中央部を基準とし、その中央部に近付く側を「車内側」とし、中央部から遠ざかる側を「車外側」とするものとする。
【００３２】
また、本実施形態は、標準的な体格を有する乗員（大人）が、標準的な姿勢で車両用シートに着座していることを前提としている。
図１及び図２に示すように、車両１０においてボディサイド部１１の車内側（図２の上側）の近傍には、乗物用シートとして車両用シート１２が配置されている。ここで、ボディサイド部１１とは、車両１０の側部に配置された車両構成部材（乗物構成部材）を指し、主としてドア、ピラー等がこれに該当する。例えば、前席に対応するボディサイド部１１は、フロントドア、センターピラー（Ｂピラー）等である。また、後席に対応するボディサイド部１１は、サイドドア（リヤドア）の後部、Ｃピラー、タイヤハウスの前部、リヤクォータ等である。
【００３３】
車両用シート１２は、シートクッション（座部）１３と、そのシートクッション１３の後側から起立し、かつ傾き調整機構（図示略）により傾斜角度を調整されるシートバック（背もたれ）１４とを備えている。車両用シート１２は、シートバック１４が前方を向く姿勢で車両１０に配置されている。このように配置された車両用シート１２の幅方向は、車幅方向と合致する。
【００３４】
シートバック１４は、シートバック本体２２と、そのシートバック本体２２の幅方向についての両側部に設けられた一対のサイドサポート部２３とを備えている。シートバック本体２２は後側へ傾斜しており、乗員Ｐの上半身を後側から支える。両サイドサポート部２３は、シートバック本体２２から前方へ突出しており、シートクッション１３に腰掛けてシートバック本体２２に凭れた乗員Ｐの上半身の車幅方向の動きを規制する。
【００３５】
次に、シートバック１４において、車外側のサイドサポート部２３を含む車外側の側部の内部構造について説明する。
シートバック１４内には、その骨格をなすシートフレームが配置されている。シートフレームの一部は、図３に示すように、シートバック１４内の車外側（図３では下側）部分に配置されており、この部分（以下「サイドフレーム部１５」という）は、金属板を曲げ加工することによって形成されている。サイドフレーム部１５を含むシートフレームの前側には、ウレタンフォーム等の弾性材からなるシートパッド１６が配置されている。また、シートフレームの後側には、合成樹脂等によって形成された硬質のバックボード１７が配置されている。なお、シートパッド１６は表皮によって被覆されているが、図３ではその表皮の図示が省略されている。後述する図６についても同様である。
【００３６】
シートパッド１６内において、サイドフレーム部１５の車外側近傍には収納部１８が設けられている。収納部１８の位置は、車両用シート１２に着座した乗員Ｐの斜め後方近傍となる（図２参照）。この収納部１８には、サイドエアバッグ装置の主要部をなすエアバッグモジュールＡＭが組み込まれている。
【００３７】
収納部１８の車外側かつ前側の角部からは、斜め前車外側に向けてスリット１９が延びている。シートパッド１６の前側の角部１６Ｃとスリット１９とによって挟まれた箇所（図３において二点鎖線の枠で囲んだ箇所）は、後述するエアバッグ４０によって破断される破断予定部２１を構成している。なお、破断予定部２１は、シートバック１４の上下方向については全領域にわたって設けられているわけではなく、後述する上保護膨張部４６に対応する領域にのみ設けられている。破断予定部２１は、下保護膨張部４９に対応する領域には設けられていない。
【００３８】
上記シートバック１４に組み込まれるエアバッグモジュールＡＭは、インフレータアセンブリ３０及びエアバッグ４０を主要な構成部材として備えている。
次に、これらの構成部材の各々について説明する。ここで、本実施形態では、エアバッグモジュールＡＭ及びその構成部材について「上下方向」、「前後方向」というときは、図１に示すように、車両用シート１２のシートバック１４を基準としている。シートバック１４の起立する方向をエアバッグモジュールＡＭ等の「上下方向」とし、シートバック１４の厚み方向をエアバッグモジュールＡＭ等の「前後方向」としている。上述したように、通常、シートバック１４は後方へ多少傾斜した状態で使用されることから、エアバッグモジュールＡＭ等の「上下方向」は、厳密には車両１０の上下方向（鉛直方向）と合致しておらず、多少傾斜している。同様に、エアバッグモジュールＡＭ等の「前後方向」は、車両１０の前後方向（水平方向）と合致しておらず、多少傾斜している。
【００３９】
＜インフレータアセンブリ３０＞
図３及び図４に示すように、インフレータアセンブリ３０は、ガス発生源としてのインフレータ３１と、そのインフレータ３１の外側に装着されたリテーナ３２とを備えている。本実施形態では、インフレータ３１として、パイロタイプと呼ばれるタイプが採用されている。インフレータ３１は略円柱状をなしており、その内部には、膨張用ガスＧを発生するガス発生剤（図示略）が収容されている。インフレータ３１の長さ方向についての一方の端部（本実施形態では下端部）には、同インフレータ３１への作動信号の入力配線となるハーネス（図示略）が接続されている。
【００４０】
なお、インフレータ３１としては、上記ガス発生剤を用いたパイロタイプに代えて、高圧ガスの充填された高圧ガスボンベの隔壁を火薬等によって破断して膨張用ガスを噴出させるタイプ（ハイブリッドタイプ）が用いられてもよい。
【００４１】
一方、リテーナ３２は、ディフューザとして機能するとともに、上記インフレータ３１をエアバッグ４０と一緒にサイドフレーム部１５に締結する機能を有する部材である。リテーナ３２の大部分は、金属板等の板材を曲げ加工等することによって略筒状に形成されている。リテーナ３２には窓部３３が設けられており、インフレータ３１から噴出された膨張用ガスＧの多くが、この窓部３３を通じてリテーナ３２の外部へ噴き出される。
【００４２】
リテーナ３２には、これを上記サイドフレーム部１５に取付けるための係止部材として、複数本のボルト３４が固定されている。表現を変えると、複数本のボルト３４が、リテーナ３２を介してインフレータ３１に間接的に固定されている。
【００４３】
なお、インフレータアセンブリ３０は、インフレータ３１とリテーナ３２とが一体になったものであってもよい。
＜エアバッグ４０＞
図１６及び図１７に示すように、エアバッグ４０は、車両１０の走行中等に側突等により衝撃が車両用シート１２の側方から同車両１０（ボディサイド部１１）に加わったときに、インフレータ３１から膨張用ガスＧの供給を受ける。このエアバッグ４０は、自身の一部を収納部１８内に残した状態でシートバック１４から略前方へ向けて展開膨張する。エアバッグ４０は、車両用シート１２に着座した乗員Ｐに接近した箇所、ここでは、同乗員Ｐの上半身とボディサイド部１１との間で展開膨張することにより上記側突の衝撃から乗員Ｐの上半身の多くの部分を保護する。
【００４４】
図４は、エアバッグ４０が膨張用ガスＧを充填させることなく平面状に展開させられた状態（以下「非膨張展開状態」という）のエアバッグモジュールＡＭを示している。また、図７は、エアバッグモジュールＡＭの内部構造を示すべく、図４の非膨張展開状態のエアバッグ４０が車幅方向の中央部分で切断されたエアバッグモジュールＡＭを、乗員Ｐとともに示している。
【００４５】
図４及び図７に示すように、エアバッグ４０は、１枚の布片４１（基布、パネル布等とも呼ばれる）を、その中央部分に設定した折り線４２に沿って二つ折りして車幅方向に重ね合わせ、その重ね合わされた部分を袋状となるように結合させることにより形成されている。ここでは、エアバッグ４０の上記の重ね合わされた２つの部分を区別するために、車内側に位置するものを布部４３（図７参照）といい、車外側に位置するものを布部４４（図４参照）というものとする。
【００４６】
なお、本実施形態では、折り線４２がエアバッグ４０の後端部に位置するように布片４１が二つ折りされているが、折り線４２が他の端部、例えば前端部、上端部、下端部等に位置するように布片４１が二つ折りされてもよい。また、エアバッグ４０は折り線４２に沿って分割された２枚の布片からなるものであってもよい。この場合には、エアバッグ４０は、２枚の布片を車幅方向に重ね合わせ、両布片を、袋状となるように結合させることにより形成される。さらに、エアバッグ４０は３枚以上の布片からなるものであってもよい。
【００４７】
エアバッグ４０においては、両布部４３，４４の外形形状が、折り線４２を対称軸として互いに線対称の関係にある。各布部４３，４４の形状・大きさは、エアバッグ４０が車両用シート１２及びボディサイド部１１間で展開膨張したときに、その車両用シート１２に着座している乗員Ｐの上半身の多くの部分（腰部ＰＰから胸部ＰＴ及び肩部ＰＳにかけての部位）に対応する領域を占有し得るように設定されている。
【００４８】
上記布部４３，４４としては、強度が高く、かつ可撓性を有していて容易に折り畳むことのできる素材、例えばポリエステル糸、ポリアミド糸等を用いて形成した織布等が適している。
【００４９】
両布部４３，４４の上記結合は、それらの周縁部に設けられた周縁結合部４５においてなされている。本実施形態では、周縁結合部４５は、両布部４３，４４の周縁部のうち、後端部（折り線４２の近傍部分）を除く部分を、縫製（縫糸で縫合）することにより形成されている。この点は、後述する外結合部５４，５５及び内結合部６３についても同様である。
【００５０】
上記縫製に関し、図４、図７〜図９、図１１〜図１５では、２つの線種によって縫製部分が表現されている。一方の線種は、一定長さの太線を断続的に並べて表現した線（破線の一種）であり、これは、縫合の対象となる布部４３，４４の外側（布部４３，４４間ではない）における縫糸の状態を示している（図４等参照）。他方の線種は、点を一定間隔おきに並べて表現した線（破線の一種）であり、これは、縫合の対象となる布部４３，４４間における縫糸の状態を示している（図７における周縁結合部４５参照）。すなわち、縫製が後者の態様で表現されている図は、縫製部分を通る断面に沿った断面構造を示している。
【００５１】
図４及び図７に示すように、両布部４３，４４間であって、周縁結合部４５によって囲まれた空間は、膨張用ガスＧによって乗員Ｐの上半身の側方で展開膨張することにより、同上半身の多くの部分を拘束して衝撃から保護するための膨張部となっている。
【００５２】
なお、周縁結合部４５は、上記縫糸を用いた縫合とは異なる手段、例えば接着剤を用いた接着によって形成されてもよい。この点は、後述する外結合部５４，５５及び内結合部６３についても同様である。
【００５３】
上記インフレータアセンブリ３０は、前側ほど低くなるように傾斜させられた姿勢で、エアバッグ４０内の後端部に配設されている。そして、リテーナ３２のボルト３４が、車内側の布部４３に挿通されている（図３参照）。こうした挿通により、インフレータアセンブリ３０がエアバッグ４０に対し位置決めされた状態で係止されている。
【００５４】
エアバッグ４０の膨張部は、面状の区画部材５０により複数の部位に区画されている。区画部材５０は、一般的にテザーと呼ばれるものと同様の構成を有している。
図５は、図４のＡ−Ａ線に沿った断面構造を示している。この図５では、各部材が厚みを省略して描かれるとともに、各内結合部６３がジグザグ状に描かれている。図５及び図７に示すように、エアバッグ４０が非膨張展開状態となっているときには、区画部材５０は、上下方向に延びる折り線５１に沿って折り返されることにより、相対向する対向端部５２，５３を接近させてなる二つ折り状態にされている。この二つ折り状態の区画部材５０は、折り線５１を両対向端部５２，５３よりも上流側（インフレータ３１に近い側）に位置させた状態で膨張部内に配設されている。
【００５５】
図８及び図９に示すように、上記区画部材５０は、膨張部の展開膨張に伴い面状に緊張させられたとき、折り線５１に沿う方向（以下「縦方向」という）の長さＬ１が、折り線５１に直交する方向（以下「横方向」という）の長さＬ２よりも長い形状を有している。区画部材５０は、対向端部５２，５３において、上下方向へ延びる外結合部５４，５５によって、エアバッグ４０の布部４３，４４に結合されている。
【００５６】
区画部材５０は、上記の結合により、車内側の布部４３と車外側の布部４４との間に架け渡されている。区画部材５０は、エアバッグ４０が非膨張展開状態となったときには、二つ折りされた状態となる（図５、図７参照）。また、区画部材５０は、膨張部が展開膨張したとき、車両用シート１２の幅方向（車幅方向）に緊張させられた状態となり（図８、図９参照）、膨張部の同方向の厚みを規制する。
【００５７】
また、二つ折り状態の区画部材５０は、折り線５１に沿う方向の両端部において、エアバッグ４０に結合されている。すなわち、区画部材５０の上端部及び下端部は、上述した周縁結合部４５（図７参照）によってエアバッグ４０の両布部４３，４４の上端部及び下端部に結合（共縫い）されている。
【００５８】
図４及び図７に示すように、膨張部は大きくは、上保護膨張部４６と下保護膨張部４９とからなる。上保護膨張部４６は、シートバック１４の側部内で展開膨張した後、同側部を破断して前方へ飛び出し、乗員Ｐの上半身の上部側方で展開膨張する。
【００５９】
上保護膨張部４６は、上記区画部材５０により上流側膨張部４７及び下流側膨張部４８に区画されている。上流側膨張部４７は、乗員Ｐの上半身の上部のうち、後半部分の側方で展開膨張するのに対し、下流側膨張部４８は、前半部分の側方で展開膨張する。上記後半部分には、肩部ＰＳにおいて少なくとも後端ＰＳＲから中心ＰＳＣにかけての領域が含まれている。このように上流側膨張部４７が展開膨張するときには、区画部材５０はシートバック１４の外部（シートバック本体２２の前面よりも前方）で緊張する（図６参照）。これに対し、上記前半部分には胸部ＰＴが含まれている。
【００６０】
下保護膨張部４９は、上保護膨張部４６（主として、上流側膨張部４７）の下側に連通した状態で設けられ、シートバック１４の側部内のみにおいて乗員Ｐの上半身の下部の後部側方で展開膨張する。上記上半身の下部には、腰部ＰＰが含まれている。
【００６１】
ここで、下保護膨張部４９には、腰部ＰＰを押圧して乗員Ｐを車内側へ移動させる作用があるが、その作用は腰部ＰＰにおいて下保護膨張部４９から押圧力を受ける面積が大きいほど大きくなる。しかし、腰部ＰＰの少なくとも後部が押圧されることで、必要最小限の上記作用が得られるものと考えられる。これは、例えば、図１０に示すように、腸骨１０１を中心とした骨盤１００の後部は、大転子１０２に対応する部位よりも、側方からの荷重に対して強靱な骨格を有しているからである（特開２００７−８４４８号公報参照）。
【００６２】
図４及び図７に示すように、上記下保護膨張部４９をシートバック１４の側部内で展開膨張させるためには、同下保護膨張部４９の容量が制約を受ける。容量が適正値よりも多いと、下保護膨張部４９が展開膨張したときに上記側部を破断するからである。そこで、下保護膨張部４９を腰部ＰＰの後部の側方で展開膨張させることで、腰部ＰＰの全体の側方で展開膨張させる場合よりも、同下保護膨張部４９の容量を少なくし、この容量が、上記の制約された容量を越えないようにしている。
【００６３】
なお、本実施形態では、区画部材５０が上保護膨張部４６にとどまらず下保護膨張部４９にも設けられている。しかし、下保護膨張部４９では、区画部材５０は同下保護膨張部４９の前端部寄りの箇所に設けられている。そのため、下保護膨張部４９は、実質的には区画されていないのと同様の状態となっている。別の表現をすると、区画部材５０は、図８において二点鎖線で示すように、上保護膨張部４６のみに設けられているのと同様の状態となっている。この場合、同図８に示すように、上保護膨張部４６での区画部材５０の縦方向の長さをＬ１′とすると、この長さＬ１′は前述した長さＬ１よりも短い。しかし、上保護膨張部４６が縦長に膨張するため、長さＬ１′はやはり横方向の長さＬ２よりも長い。
【００６４】
図４及び図７に示すように、上記インフレータアセンブリ３０は、上流側膨張部４７及び下保護膨張部４９の内部のいずれかの箇所に配置されている。こうした構成により、上保護膨張部４６では、インフレータ３１からの膨張用ガスＧは、上流側膨張部４７に最初に供給される。上流側膨張部４７を経由した膨張用ガスＧは、次に、上流側膨張部４７の前側に隣接する下流側膨張部４８に供給される。
【００６５】
区画部材５０は、図８及び図９に示すように、折り線５１に沿う方向である縦方向（上下方向）に並べられた２つの部材５６，５７からなる。各部材５６，５７は、エアバッグ４０の布部４３，４４と同様の素材を用いてシート状に形成されている。
【００６６】
上下両部材５６，５７では、それらの端部５８，５９の端縁５８Ｅ，５９Ｅ同士が合致させられた状態で、端部５８，５９同士が帯状に重ね合わされている。上下両部材５６，５７は、それぞれ帯状をなす一対の重ね合わせ部６１と、それ以外の箇所（以下「非重ね合わせ部６２」という）との境界部分において、折り線５１に直交する方向（横方向）へ延びる内結合部６３によって結合されている。この境界部分は、上記端縁５８Ｅ，５９Ｅから下方向へ一定距離離れている。
【００６７】
上記区画部材５０において、縦方向についての中間部分であり、かつ横方向についての略中央部分には、上流側膨張部４７による乗員Ｐの拘束状況に応じ、同上流側膨張部４７から下流側膨張部４８への膨張用ガスＧの流通を規制及び規制解除する弁として、調圧弁７０が設けられている。
【００６８】
次に、この調圧弁７０の構成について説明すると、内結合部６３は、その一部（本実施形態では折り線５１を跨ぐ部分）において結合を解除されている。表現を変えると、両重ね合わせ部６１と非重ね合わせ部６２との境界部分において、折り線５１を跨ぐ部分では、上下両部材５６，５７を結合させる内結合部６３が設けられていない。このように内結合部６３が設けられていない部分である、結合を解除された箇所は、横方向（車幅方向）に延びて、上流側膨張部４７と下流側膨張部４８とを連通させるスリットからなる内開口部７１を構成している。この内開口部７１は、特許請求の範囲における開口部に該当する。ここでの横方向（車幅方向）は、車両１０に対し衝撃の加わる方向と同じである。
【００６９】
重ね合わせ部６１であって、内開口部７１に対応する部分（近傍部分）は、一対の弁体部７３，７４を構成している。より正確には、内開口部７１と端縁５８Ｅとの間の部分によって弁体部７３が構成され、同内開口部７１と端縁５９Ｅとの間の部分によって弁体部７４が構成されている。両弁体部７３，７４が、それらの少なくとも一部、例えば先端部７３Ｔ，７４Ｔにおいて互いに接触することで、調圧弁７０が閉弁し、内開口部７１や、両弁体部７３，７４間での膨張用ガスＧの流通が規制される（図１８（Ａ），（Ｂ）参照）。また、内開口部７１が開かれ、かつ弁体部７３の全体が弁体部７４の全体から離間することで、調圧弁７０が開弁し、内開口部７１や両弁体部７３，７４間での膨張用ガスＧの上記流通規制が解除（流通が許容）される（図１８（Ｃ）参照）。
【００７０】
さらに、上記のように、両弁体部７３，７４を有する両重ね合わせ部６１は、膨張部の展開膨張前には上流側膨張部４７に配置されている。
そして、両重ね合わせ部６１は非重ね合わせ部６２との境界部分において、上方又は下方（本実施形態では上方）へ折り曲げられて、同非重ね合わせ部６２に重ねられている。さらに、折り曲げられた帯状の両重ね合わせ部６１は、内結合部６３に沿う方向（横方向：車幅方向）の両端部において、前述した外結合部５４，５５により、エアバッグ４０の対応する布部４３，４４及び区画部材５０の非重ね合わせ部６２に結合（共縫い）されている（図５、図７（Ａ），（Ｂ）参照）。
【００７１】
ところで、図３に示すように、上記エアバッグモジュールＡＭは、非膨張展開状態のエアバッグ４０（図４、図７参照）が折り畳まれることにより、コンパクトな形態（以下「収納用形態」という）にされている。これは、エアバッグモジュールＡＭを、シートバック１４における限られた大きさの収納部１８に対し、収納に適したものとするためである。この収納用形態は、非膨張展開状態のエアバッグ４０に対し、第１の折り、第２の折り、及び第３の折りが順に行なわれることにより得られる。次に、各折りについて説明する。
【００７２】
＜第１の折り＞
第１の折りは、図１１（Ａ），（Ｂ）に示す非膨張展開状態のエアバッグ４０の上部を、下方へ折り返す折り態様であり、上流側膨張部４７及び下流側膨張部４８の両方に対し行なわれる。この第１の折りの実施に際しては、図１１（Ａ）において一点鎖線で示すように、非膨張展開状態のエアバッグ４０（上流側膨張部４７及び下流側膨張部４８）において、インフレータアセンブリ３０よりも上側に、前後方向に延びる折り線１０５が設定される。そして、この折り線１０５よりも上側の部分１０６が、矢印で示すように、折り線１０５に沿って車外側下方又は車内側下方へ折り返される。この第１の折りにより、図１２（Ａ）に示すように、エアバッグ４０の上下方向の寸法が小さくなる。
【００７３】
＜第２の折り＞
第２の折りは、図１２（Ａ）のエアバッグ４０を前方から後方へ向けて折り畳む折り態様であり、上記第１の折りの後に行なわれる。この第２の折りは、上流側膨張部４７及び下保護膨張部４９を対象として行なわれる蛇腹折りと、下流側膨張部４８を対象として行なわれるロール折りとからなる。
【００７４】
蛇腹折りに際しては、エアバッグ４０の上流側膨張部４７（部分１０６を含む）及び下保護膨張部４９に対し、図１２（Ａ）に示すように、互いに上下方向に延びる複数本の折り線１０７が設定される。隣り合う折り線１０７の間隔は、蛇腹折りにおける折り幅となる。そして、図１２（Ｂ），（Ｃ）に示すように、エアバッグ４０（上流側膨張部４７及び下保護膨張部４９）が、これらの折り線１０７に沿って蛇腹状に折り畳まれる。より詳しくは、エアバッグ４０は、前方から後方に向けて、一定幅ずつ交互に、折り返す方向を変えながら折り畳まれる。
【００７５】
ロール折りに際しては、エアバッグ４０の下流側膨張部４８（部分１０６を含む）に対し、図１２（Ａ）に示すように、互いに上下方向に延びる複数本の折り線１０８が設定される。図１２（Ｂ），（Ｃ）に示すように、上記下流側膨張部４８が前方から後方に向けて、折り線１０８に沿って順に渦巻き状に折り畳まれる。表現を変えると、下流側膨張部４８は同一方向に繰り返し折り畳まれる。なお、上記蛇腹折り及びロール折りの実施順は特に限定されず、例えば、同時又は略同時に実施されてもよい。上記第２の折り（蛇腹折り、ロール折り）により、エアバッグ４０は図１３（Ａ），（Ｂ）に示すように、前後方向に寸法の小さな中間形態となる。
【００７６】
＜第３の折り＞
第３の折りは、上記中間形態のエアバッグ４０において、下保護膨張部４９に対応する箇所を上方へ折り返す折り態様であり、上記第２の折りの後に行なわれる。第３の折りの実施に際しては、インフレータアセンブリ３０よりも下側において、車両用シート１２の幅方向（車幅方向）に延びる折り線１０９が設定される。そして、中間形態のエアバッグ４０において折り線１０９よりも下側部分１１０が、図１３（Ａ）において矢印で示すように、折り線１０９に沿って前上方へ折り返される。この折り返しにより、図１４（Ａ），（Ｂ）に示すように、重ね合わせ部１１１が形成され、エアバッグ４０は収納用形態となる。この収納用形態では、エアバッグ４０の上下方向の寸法は、第３の折りが行なわれない場合よりも小さくなる。
【００７７】
このように、エアバッグ４０を折り畳んで、図１４（Ａ），（Ｂ）に示す収納用形態にされたエアバッグモジュールＡＭは、前後方向にも上下方向にも寸法が小さくなっており、狭い収納部１８に対しても収納に適したものとなる。
【００７８】
その後、上記エアバッグモジュールＡＭは、結束テープ（図示略）等の保持手段によって収納用形態に保持される。
上記収納用形態にされたエアバッグモジュールＡＭは、図３に示すように、インフレータアセンブリ３０を後側に位置させ、かつエアバッグ４０の多くを前側に位置させた状態で、収納部１８に配設されている。そして、上述したように、リテーナ３２から延びてエアバッグ４０（車内側の布部４３）に挿通されたボルト３４がサイドフレーム部１５に挿通され、ナット３６によって締付けられている。この締付けにより、インフレータアセンブリ３０がエアバッグ４０と一緒にサイドフレーム部１５に固定されている。
【００７９】
なお、インフレータアセンブリ３０は、上述したボルト３４及びナット３６とは異なる部材によって車両１０（サイドフレーム部１５）に固定されてもよい。
図１に示すように、サイドエアバッグ装置は、上述したエアバッグモジュールＡＭのほかに衝撃センサ７５及び制御装置７６を備えている。衝撃センサ７５は加速度センサ等からなり、車両１０のボディサイド部１１（図２参照）等に取付けられており、同ボディサイド部１１に側方から加わる衝撃を検出する。制御装置７６は、衝撃センサ７５からの検出信号に基づきインフレータ３１の作動を制御する。
【００８０】
さらに、車両１０には、車両用シート１２に着座した乗員Ｐを拘束するためのシートベルト装置が装備されているが、図１等ではこのシートベルト装置の図示が省略されている。
【００８１】
上記のようにして、本実施形態のサイドエアバッグ装置が構成されている。次に、このサイドエアバッグ装置の作用として、代表的な動作の態様（モード）について説明する。図１８（Ａ）〜（Ｃ）は、調圧弁７０等の形態が、膨張用ガスＧの供給開始後、時間とともに変化する様子を模式的に示したものであり、細部については省略・簡略化されている。
【００８２】
このサイドエアバッグ装置では、図１及び図２に示すように、側突等により車両１０（ボディサイド部１１）に対し側方から衝撃が加わらないときには、制御装置７６からインフレータ３１に対し、これを作動させるための作動信号が出力されず、インフレータ３１から膨張用ガスＧが膨張部に供給されない。エアバッグ４０は、収納用形態でインフレータアセンブリ３０とともに収納部１８に収納され続ける（図３参照）。このとき、エアバッグ４０では、両布部４３，４４が互いに接近している。区画部材５０は、折り線５１を対向端部５２，５３よりも上流側に位置させてなる二つ折り状態となっている。両弁体部７３，７４は上流側膨張部４７内で重なり合っている。
【００８３】
これに対し、車両１０の走行中に、側突等によりボディサイド部１１に所定値以上の衝撃が加わり、そのことが衝撃センサ７５によって検出されると、その検出信号に基づき制御装置７６からインフレータ３１に対し、これを作動させるための作動信号が出力される。この作動信号に応じて、インフレータ３１では、ガス発生剤が高温高圧の膨張用ガスＧを発生する。この膨張用ガスＧは、膨張部のうち、まず上保護膨張部４６の上流側膨張部４７と下保護膨張部４９とに供給される。上流側膨張部４７及び下保護膨張部４９の各部に膨張用ガスの圧力が加わる。上流側膨張部４７及び下保護膨張部４９の各部が膨張を開始し、折り畳まれた順とは逆の順に折り状態を解消（展開）する。これは、エアバッグ４０において後から折り畳まれた部分が、先に折り畳まれた部分の折り状態の解消を規制するからである。
【００８４】
図１５に示すように、下保護膨張部４９を上方へ折り返して重ね合わせ部１１１を形成する第３の折りが、前方から後方へ向けて折り畳む第２の折りよりも後に行なわれる本実施形態では、収納用形態のエアバッグ４０は、まず重ね合わせ部１１１が前下方へ回動して折り状態を解消（展開）する。
【００８５】
また、本実施形態では、エアバッグ４０を前方から後方へ向けて折り畳む第２の折りが、エアバッグ４０の上側の部分１０６を下方へ折り返す第１の折りよりも後に行なわれている。このことから、収納用形態のエアバッグ４０は、上記重ね合わせ部１１１の回動の後に、図１５において密度の高い網点で示すように、後方から前方へ向けて折り状態を解消（展開）する。この際、同図１５において二点鎖線で示すように、エアバッグ４０の展開方向前側に障害物Ｏがあると、エアバッグ４０はその障害物Ｏを矢印で示すように前方へ押すものの、上述した図１９（Ｂ）とは異なり、障害物Ｏを前上方へ強く押すといった不必要な干渉を起こすことはない。そして、エアバッグ４０は、上述した後方から前方へ向かう折り状態の解消の後に、図１５において密度の低い網点で示すように、部分１０６が上方に向けて折り状態を解消する。
【００８６】
下保護膨張部４９は、図１０に示すように、サイドサポート部２３を破断することなくシートバック１４の側部内で展開膨張する。この内圧の高い下保護膨張部４９により、シートバック１４における車外側の側部（サイドサポート部２３）の下部が押圧される。この押圧により、シートバック１４において下保護膨張部４９の周辺部分（サイドサポート部２３）が前方や車内側へ膨らむ。この膨らんだサイドサポート部２３により、同図１０において矢印で示すように、乗員Ｐの上半身において耐衝撃性の最も高い腰部ＰＰの後部が斜め前車内側へ強く押圧される。
【００８７】
このように、下保護膨張部４９は、サイドサポート部２３を破断することなくシートバック１４の内部でのみ展開膨張する。従って、上保護膨張部４６に加え下保護膨張部４９もサイドサポート部２３を破断する場合に比べ、破断箇所が短くなる。
【００８８】
これに対し、上保護膨張部４６内では、二つ折り状態の区画部材５０が、折り線５１を対向端部５２，５３よりも上流側に位置させた状態で配設されている。しかも、その区画部材５０は、両対向端部５２，５３の各々において、外結合部５４，５５によってエアバッグ４０の対応する布部４３，４４に結合されている（図５参照）。また、区画部材５０は、折り線５１に沿う方向の両端部（上端部及び下端部）の各々において、周縁結合部４５によって両布部４３，４４に結合されている（図７参照）。そのため、蛇腹折りされている上流側膨張部４７は、後方から前方へ向けて折り状態を解消（展開）する。ここで、蛇腹折りは、一般に、折りが解消されやすく展開しやすい折り態様とされている。そのため、より速く展開膨張させることが望まれる上流側膨張部４７は、速やかに前方へ展開膨張する。
【００８９】
また、二つ折り状態の区画部材５０は引っ張られて、湾曲面状となる。区画部材５０に対し、湾曲面上において縦方向（上下方向）や横方向（車幅方向）にテンション（張力）が掛かって、区画部材５０が緊張状態になろうとする（図８、図９参照）。
【００９０】
上流側膨張部４７に位置する両弁体部７３，７４に対しては、その重なり方向（厚み方向）から内圧ＰＩが加わる（図１８（Ａ）参照）。この内圧ＰＩは、上流側膨張部４７による乗員Ｐの拘束時ほど高くない。両弁体部７３，７４は、この内圧ＰＩにより面全体で互いに密着し、両弁体部７３，７４間での膨張用ガスＧの流通を規制する自己シール状態となる。さらに、折り曲げられて区画部材５０の非重ね合わせ部６２に重ねられた重ね合わせ部６１が、内圧ＰＩによりその非重ね合わせ部６２に押付けられる（図９参照）。これらのことからも、両弁体部７３，７４が一層閉じられやすくなる。
【００９１】
ここで、図８に示すように、区画部材５０は、縦方向（上下方向）に横方向（車幅方向）よりも長く形成されている（Ｌ１＞Ｌ１′＞Ｌ２）。すなわち、区画部材５０は、膨張部に配設されている部分（区画部材５０全体）ついてはもちろんのこと、上保護膨張部４６のみに配設されている部分においても、縦方向（上下方向）に横方向（車幅方向）よりも長く形成されている。このことから、区画部材５０では、横方向（車幅方向）に対し、縦方向（上下方向）に対するよりも強いテンションが掛かりやすい。本実施形態では、内開口部７１が、この強いテンションの掛かりやすい横方向（車幅方向）に延びているため、内開口部７１が閉じられやすい。
【００９２】
ただし、上記のようなテンション（張力）の強弱関係があるとはいえ、内開口部７１を開かせようとする、縦方向（上下方向）にもテンション（張力）が掛かるため、内開口部７１が確実に閉じるとは限らず、内開口部７１が開くおそれもある。しかし、この場合であっても、両弁体部７３，７４が少なくとも自身の先端部７３Ｔ，７４Ｔにおいて閉じられる。これは、区画部材５０が緊張することで内開口部７１が縦方向（上下方向）に引っ張られて、これを開かせようとする力が作用したとしても、その力は、内開口部７１において最も大きく、内開口部７１から遠ざかるに従い小さくなり、両弁体部７３，７４の先端部７３Ｔ，７４Ｔにおいて最小となるからである。
【００９３】
さらに、本実施形態では、非重ね合わせ部６２側へ折り曲げられた重ね合わせ部６１が、スリット（内結合部６３）の延びる方向の両端部において外結合部５４，５５により、対向端部５２，５３とともに布部４３，４４に結合されている（図９参照）。このため、上流側膨張部４７が展開膨張したときには、区画部材５０に対し、横方向（車幅方向）に強いテンション（張力）が掛かるだけでなく、重ね合わせ部６１に対しても同方向に強いテンション（張力）が掛かる。
【００９４】
両弁体部７３，７４が、それらの少なくとも一部において互いに接触すると、調圧弁７０が閉弁した状態となる。上流側膨張部４７内の膨張用ガスＧは、両弁体部７３，７４間及び内開口部７１を通って下流側膨張部４８へ流通（流出）することを規制される。上記の規制により、膨張用ガスＧが内開口部７１を流れにくくなる。上流側膨張部４７内の膨張用ガスＧは、内開口部７１を通じ下流側膨張部４８へ流れないか、流れたとしても僅かである。その結果、上流側膨張部４７に膨張用ガスＧが溜まり、専ら上流側膨張部４７の内圧が上昇し始める。
【００９５】
本実施形態では、上保護膨張部４６が区画部材５０によって上流側膨張部４７及び下流側膨張部４８に区画されていることから、上流側膨張部４７の容積は、上保護膨張部４６が区画されていない場合の容積よりも小さい。そのため、上流側膨張部４７の内圧は、上保護膨張部４６が区画されていない場合よりも早く上昇を開始し、しかも高くなる。特に、上流側膨張部４７内の膨張用ガスＧは、両弁体部７３，７４間においてのみ流通を許容され、両弁体部７３，７４間を経由せずに下流側膨張部４８へ流出することはない。従って、膨張用ガスＧの上記流出が原因で上流側膨張部４７の内圧の上昇速度が低下することが起こりにくい。
【００９６】
そして、上流側膨張部４７が、折り状態を解消（展開）しながら膨張（展開膨張）していくと、シートバック１４のシートパッド１６が上流側膨張部４７によって押圧され、破断予定部２１（図３参照）において破断される。
【００９７】
ここで、仮に、上流側膨張部４７が、区画部材５０をシートバック１４内に位置させた状態で展開膨張する、すなわちシートバック１４内のみで展開膨張するものであるとすると、同上流側膨張部４７が車両用シート１２の幅方向（車幅方向）に膨張しようとする力のみによって、シートバック１４の側部を破断することとなる。
【００９８】
この点、上流側膨張部４７が、区画部材５０をシートバック１４よりも前方に位置させた状態で展開膨張する本実施形態では、シートバック１４に対し、上流側膨張部４７が上記車両用シート１２の幅方向（車幅方向）に膨張しようとする力に加え、前方に膨張しようとする力が作用する。そのため、シートバック１４の側部に対し、より大きな力が作用して同側部が破断されやすい。
【００９９】
そして、図６に示すように、上流側膨張部４７は、その一部を収納部１８に残した状態で、破断された箇所を通じてシートバック１４から前方へ飛び出す。
その後も膨張用ガスＧの供給される上保護膨張部４６では、上流側膨張部４７が、図１７に示すように、ボディサイド部１１と乗員Ｐの肩部ＰＳとの間で前方へ向けて折り状態を解消しながら展開する。図７に示すように、内圧が下流側膨張部４８よりも高い上流側膨張部４７は、耐衝撃性が胸部ＰＴよりも高い肩部ＰＳにおいて、少なくとも後端ＰＳＲから中心ＰＳＣにかけての領域の側方で展開膨張する。
【０１００】
車内側へ進入するボディサイド部１１によって上流側膨張部４７が乗員Ｐの肩部ＰＳに押圧され始める。図１７において矢印で示すように、肩部ＰＳが車内側（ボディサイド部１１から遠ざかる側）へ押圧されて、乗員Ｐの上半身の上部は、主として上流側膨張部４７によって拘束される。
【０１０１】
肩部ＰＳは、背中部ＰＢとは異なり、後側ほど車内側に位置するように湾曲していないため、上流側膨張部４７によって車内側へ押圧されやすい。
また、上記肩部ＰＳは、乗員Ｐの上半身のなかでも車両用シート１２の幅方向外側（車外側：ボディサイド部１１側）へ最も多く飛び出している部位であって、ボディサイド部１１に最も接近している。車両１０に衝撃が加わる前のボディサイド部１１と乗員Ｐの上半身との間隔は、肩部ＰＳにおいて最小である。
【０１０２】
そのため、上流側膨張部４７は、乗員Ｐの上半身の上部のうち肩部ＰＳ以外の部位を押圧する場合に比べ、車内側への少ない膨張量で、同上半身（肩部ＰＳ）を車内側へ押圧し始める。しかも、上流側膨張部４７による乗員Ｐの押圧は、同上流側膨張部４７の展開膨張開始から短い時間で、すなわち、早い時期から開始される。また、乗員Ｐの上半身に対し側方から衝撃が加わった場合の耐衝撃性は、背中部ＰＢよりも肩部ＰＳにおいて勝っている。このように耐衝撃性の高い肩部ＰＳが、早期に内圧の高くなる上保護膨張部４６の上流側膨張部４７によって強く押圧される。
【０１０３】
そして、上記上流側膨張部４７による肩部ＰＳの押圧と、下保護膨張部４９による腰部ＰＰの押圧とによって、乗員Ｐの上半身が図１７において実線で示すように車内側へ移動させられる。なお、図１７の二点鎖線は、移動前の乗員Ｐの位置を示している。この移動により、乗員Ｐの上半身とボディサイド部１１との間隔が拡げられ、下流側膨張部４８の展開膨張のための空間が確保される。
【０１０４】
なお、上流側膨張部４７が肩部ＰＳを押圧して乗員Ｐを車内側へ移動させる作用は、肩部ＰＳにおいて上流側膨張部４７から押圧力を受ける面積が大きいほど大きくなる。しかし、少なくとも肩部ＰＳの後端ＰＳＲから中心ＰＳＣにかけての領域が上流側膨張部４７によって押圧されることで、必要最小限の上記作用が得られる。
【０１０５】
上記押圧に際し、上保護膨張部４６では専ら上流側膨張部４７が展開膨張していることから、乗員Ｐが上保護膨張部４６の圧力を受ける箇所は専ら上流側膨張部４７である。
両弁体部７３，７４がそれらの面全体で密着した（閉じられた）状態で、上流側膨張部４７内に膨張用ガスＧが供給され続ける一方、ボディサイド部１１から加わる外力により、調圧弁７０が開弁し始める。
【０１０６】
すなわち、上保護膨張部４６への膨張用ガスＧの供給期間の途中からは、乗員拘束に伴う外力が加わって上保護膨張部４６が押圧されて変形する。これに伴い、区画部材５０に対し横方向（車幅方向）に強く掛かっていたテンション（張力）が減少し、縦方向（上下方向）に掛かるテンション（張力）が増加する。
【０１０７】
また、上保護膨張部４６の上記変形に伴い上流側膨張部４７の内圧がさらに上昇して、区画部材５０が下流側膨張部４８側へ押圧されて（図１８（Ｂ）参照）、同区画部材５０に掛かるテンションが変化する。そして、上記テンション（張力）の変化により、縦及び横の両方向のテンション（張力）の差が小さくなる。区画部材５０に位置する内開口部７１の変形が許容され、同区画部材５０に位置する弁体部７３，７４の作動が許容されるようになる。
【０１０８】
一方、重ね合わせ部６１は非重ね合わせ部６２に重ねられ、横方向（車幅方向）についての両端部において、外結合部５４，５５によってエアバッグ４０の布部４３，４４に結合されている。そのため、重ね合わせ部６１において外結合部５４，５５に近い部分では、重ね合わされた状態を維持しようとする力が強い。しかし、この力は、外結合部５４，５５から遠ざかるに従い小さくなり、横方向（車幅方向）についての中央部分、すなわち両弁体部７３，７４において最小となる。このため、縦方向（上下方向）へ引っ張られた重ね合わせ部６１は、弁体部７３，７４及びその近傍部分においてのみ同方向へ変形する。
【０１０９】
内開口部７１がある程度開くと、重ね合わせ部６１では、上流側膨張部４７の高い内圧ＰＩを受けた両弁体部７３，７４においてのみ、内開口部７１を通って下流側膨張部４８へ押し出される（反転される）。この内開口部７１の上下方向の幅Ｗ１が狭いときには、先端部７３Ｔ，７４Ｔ同士が接触し合い、両弁体部７３，７４が先端部７３Ｔ，７４Ｔにおいて閉じる（図１８（Ｂ）参照）。この状態は、内開口部７１の上記幅Ｗ１が、各弁体部７３，７４の幅Ｗ２（図１８（Ｃ）参照）の合計値（＝２・Ｗ２）よりも狭い期間続く。
【０１１０】
そして、内開口部７１の幅Ｗ１がこの合計値（＝２・Ｗ２）よりも大きくなると、先端部７３Ｔ，７４Ｔが離れ（図１８（Ｃ）参照）、調圧弁７０が開弁した状態となる。上記流通規制が解除され、上流側膨張部４７内の膨張用ガスＧは、内開口部７１や、両弁体部７３，７４間を順に通って下流側膨張部４８へ流出することを許容される。
【０１１１】
上記膨張用ガスＧの流出により、上流側膨張部４７の内圧が上昇から低下に転ずる。ただし、ボディサイド部１１は車内側へ依然として進入し続けていて、上保護膨張部４６が上流側膨張部４７において乗員Ｐに押圧される。
【０１１２】
また、膨張用ガスＧの流入により下流側膨張部４８の内圧が上昇を開始する。ロール折りされている下流側膨張部４８は、蛇腹折りされている上流側膨張部４７に比べると折りを解消されにくい。反面、ロール折りされている下流側膨張部４８は、障害物に展開を阻害されにくく、乗員Ｐとボディサイド部１１との狭い隙間に入り込みやすい。
【０１１３】
そして、上保護膨張部４６が、上流側膨張部４７に加え下流側膨張部４８においても乗員Ｐに押圧されるようになり、乗員Ｐが上流側膨張部４７及び下流側膨張部４８によって拘束される。
【０１１４】
下流側膨張部４８は、耐衝撃性が肩部ＰＳや腰部ＰＰよりも低い胸部ＰＴの側方において、上記上流側膨張部４７よりも低い内圧でもって、折り畳まれた順とは逆の順に折り状態を解消しようとする。この際、ボディサイド部１１と乗員Ｐとの間隔が、上流側膨張部４７及び下保護膨張部４９によって拡げられていて、下流側膨張部４８の展開膨張のための空間が確保されていることから、同下流側膨張部４８は、こうした間隔の拡大が行なわれない場合よりも、上記空間を前方へ向けて展開膨張しやすい（図１７参照）。
【０１１５】
このようにして、エアバッグ４０が、乗員Ｐの上半身と、車内側へ進入してくるボディサイド部１１との間に介在する。このエアバッグ４０によって上半身が車内側へ押圧されて拘束される。そして、ボディサイド部１１を通じて上半身に伝わる側方からの衝撃が、膨張部によって緩和されて、同上半身が保護される。
【０１１６】
以上詳述した本実施形態によれば、次の効果が得られる。
（１）非膨張展開状態のエアバッグ４０に対し、その上部（部分１０６）を下方へ折り返す第１の折りと、その折りの後に、前方から後方へ向けて折り畳む第２の折りとを少なくとも行なうことにより、エアバッグ４０を収納用形態にしている（図１１（Ａ）、図１２（Ａ）〜（Ｃ））。
【０１１７】
そのため、収納用形態のエアバッグ４０では、まず後方から前方へ向けて折り状態を解消（展開）し、その後に、折り返された部分１０６を上方へ展開させることができる。その結果、エアバッグ４０の展開方向前側に障害物Ｏがあっても、エアバッグ４０がその障害物Ｏと不必要な干渉を起こすのを抑制することができる。
【０１１８】
（２）上保護膨張部４６を、区画部材５０により、最初に膨張用ガスＧが供給される上流側膨張部４７と、その前側の下流側膨張部４８とに区画する。区画部材５０には、上流側膨張部４７による乗員Ｐの拘束状況に応じ、上流側膨張部４７から下流側膨張部４８への膨張用ガスＧの流通を規制及びその規制を解除する弁（調圧弁７０）を設ける（図７（Ａ））。さらに、上流側膨張部４７及び下流側膨張部４８の両者に対し、第１の折りを行なう（図１１）。第２の折りとして、上流側膨張部４７に対し蛇腹折りを行ない、下流側膨張部４８に対しロール折りを行なうようにしている（図１２（Ａ）〜（Ｃ））。
【０１１９】
そのため、上流側膨張部４７による乗員Ｐの拘束状況によっては（拘束前には）、弁（調圧弁７０）によって流通を規制することにより、上保護膨張部４６において、専ら上流側膨張部４７の内圧を上昇させて同上流側膨張部４７を展開膨張させ、上保護膨張部４６を上流側膨張部４７において乗員Ｐの上半身の上部に押付けることができる。
【０１２０】
また、上流側膨張部４７による乗員Ｐの拘束状況によっては（拘束時には）、弁（調圧弁７０）によって上記流通規制を解除することにより、下流側膨張部４８の内圧を上昇させて同下流側膨張部４８を展開膨張させ、上保護膨張部４６を、上流側膨張部４７に加え下流側膨張部４８においても乗員Ｐの上半身の上部に押付けることができる。
【０１２１】
さらに、より早く展開膨張させることが望まれる上流側膨張部４７を蛇腹折りしたため、同上流側膨張部４７を速やかに前方へ展開膨張させることができる。また、下流側膨張部４８をロール折りしたため、乗員Ｐとボディサイド部１１との狭い隙間に入り込ませやすくすることができる。
【０１２２】
（３）上記弁として、内開口部７１及び一対の弁体部７３，７４を有するもの（調圧弁７０）を用いている（図９）。
そのため、上流側膨張部４７による乗員拘束前には、両弁体部７３，７４を上流側膨張部４７内の膨張用ガスによって互いに接触させ、内開口部７１での膨張用ガスの流通を規制することができる（図１８（Ａ），（Ｂ））。また、上流側膨張部４７による乗員拘束時には、その拘束に伴い加わる外力によって上保護膨張部４６を押圧して変形させ、区画部材５０を通じて両弁体部７３，７４を撓ませて互いに離間させ、上記流通規制を解除することができる（図１８（Ｃ））。
【０１２３】
（４）上流側膨張部４７が展開膨張したとき、区画部材５０がシートバック１４よりも前方に位置するように、上保護膨張部４６内における区画部材５０の位置を設定している（図６）。
【０１２４】
そのため、区画部材５０をシートバック１４内に位置させた状態で上流側膨張部４７を展開膨張させる場合に比べ、シートバック１４の側部に対し、より大きな力を作用させて同側部を破断しやすくすることができる。
【０１２５】
（５）上流側膨張部４７を、乗員Ｐの肩部ＰＳの側方で展開膨張させ、下流側膨張部４８を胸部ＰＴの側方で展開膨張させるようにしている（図７（Ａ））。
そのため、エアバッグ４０による乗員Ｐの拘束初期には、上半身のうち胸部ＰＴよりも耐衝撃性の高い肩部ＰＳを、早期に内圧が高くなる上流側膨張部４７によって強く押圧することができる。また、同拘束初期には、上半身のうち肩部ＰＳよりも耐衝撃性の低い胸部ＰＴを、内圧が上流側膨張部４７ほど高くならない下流側膨張部４８によって押圧することができる。
【０１２６】
このように、エアバッグ４０における上保護膨張部４６の圧力分布を、上半身の上部（肩部ＰＳ及び胸部ＰＴ）の部位による耐衝撃性の相違を考慮した適正なものとし、同上部（肩部ＰＳ及び胸部ＰＴ）を衝撃から有効に保護することができる。
【０１２７】
（６）エアバッグ４０の膨張部として、乗員Ｐの上半身の下部側方で展開膨張する下保護膨張部４９をさらに設ける（図７（Ａ））。
また、上記第２の折りの後に、下保護膨張部４９に対応する下側部分１１０を上方へ折り返す第３の折りを行なうようにしている（図１３（Ａ））。
【０１２８】
上記のように下保護膨張部４９を設けることで、エアバッグ４０が下方に長い形状となる。しかし、エアバッグ４０を、第２の折りの後に、下保護膨張部４９に対する第３の折りを行なうことで、収納用形態では、エアバッグ４０を上下に短くコンパクトな形態にすることができる。
【０１２９】
なお、側突等により、車両に対し、車両用シート１２の側方から衝撃が加わった場合には、最初に上記下側部分１１０（重ね合わせ部１１１）の折り状態を解消（展開）することができる。
【０１３０】
（７）下保護膨張部４９が腰部ＰＰを押圧して乗員Ｐを車内側へ移動させる作用は、腰部ＰＰにおいて下保護膨張部４９から押圧力を受ける面積が大きいほど大きくなる。
この点、本実施形態では、腸骨１０１を中心とした骨盤１００の後部が、大転子１０２に対応する部位よりも、側方からの荷重に対して強靱な骨格を有していることに着目し、下保護膨張部４９を、乗員Ｐの腰部ＰＰの後部の側方で展開膨張させるようにしている（図１０）。
【０１３１】
そのため、腰部ＰＰを押圧して車内側へ移動させる作用として、必要最小限のものを効率よく得ることができる。
（８）２つの部材５６，５７の端縁５８Ｅ，５９Ｅ同士を合致させた状態で、両部材５６，５７の端部５８，５９同士を帯状に重ね合わせる。さらに、両重ね合わせ部６１と非重ね合わせ部６２との境界部分に設けた内結合部６３によって両部材５６，５７を結合することにより、区画部材５０を形成する。内結合部６３の一部において両部材５６，５７の結合を解除させることにより、内開口部７１を形成する。そして、両重ね合わせ部６１において内開口部７１に対応する箇所（近傍部分）を両弁体部７３，７４としている（図９）。
【０１３２】
そのため、２つの部材５６，５７における非重ね合わせ部６２と重ね合わせ部６１との境界部分を、一部を残した状態で結合することにより、区画部材５０、内開口部７１及び両弁体部７３，７４を一度に形成することができる。内開口部７１の形成、及び両弁体部７３，７４の形成のために特別な作業を行なわなくてもすむ。
【０１３３】
特に、両弁体部７３，７４が区画部材５０に一体となっている。より正確には、一方の弁体部７３が部材５６に一体となり、他方の弁体部７４が部材５７に一体となっている。そのため、両弁体部７３，７４が区画部材５０（部材５６，５７）とは異なる部品からなる場合に比べ、部品点数を少なくすることができる。また、同部品を区画部材５０（部材５６，５７）に結合する作業を行なわなくてもすむ。
【０１３４】
（９）膨張部の上半部を、区画部材５０により、前後２つの部位（上流側膨張部４７、下流側膨張部４８）に区画する。区画部材５０に調圧弁７０を設けることで、膨張部の展開膨張初期（上流側膨張部４７による乗員Ｐの拘束前）に、下流側膨張部４８を展開膨張させないようにしている。
【０１３５】
そのため、膨張部の上記展開膨張初期に、仮に、下流側膨張部４８が展開膨張する予定の領域（シートバック１４の前方）に障害物が存在していても、その障害物が下流側膨張部４８によって押圧されるのを抑制することができる。
【０１３６】
なお、本発明は次に示す別の実施形態に具体化することができる。
＜区画部材５０及び弁について＞
・区画部材５０における上側の部材５６及び下側の部材５７の少なくとも一方は、折り線５１に沿って２枚に分割されてもよい。
【０１３７】
・区画部材５０の対向端部５２，５３は、エアバッグ４０の布部４３，４４に対し、上流側膨張部４７内で結合されてもよいし、下流側膨張部４８内で結合されてもよい。
また、対向端部５２，５３の一方が上流側膨張部４７内で結合され、他方が下流側膨張部４８内で結合されてもよい。
【０１３８】
・内開口部７１及び内結合部６３は、区画部材５０の折り線５１に直交する方向に限らず、斜めに交差する方向に沿って設けられてもよいし、折り線５１に沿う方向に沿って設けられてもよい。
【０１３９】
・区画部材５０として、単一の部材（布片）からなるものが用いられてもよい。
・重ね合わせ部６１において、両弁体部７３，７４として機能するのは、内開口部７１に対応する部分（内開口部７１の近傍部分、より正確には、内開口部７１と端縁５８Ｅ，５９Ｅとの間の部分）である。そのため、上流側膨張部４７の展開膨張時に、両弁体部７３，７４の少なくとも先端部７３Ｔ，７４Ｔが接触して閉じられるのであれば、重ね合わせ部６１において、内開口部７１に対応しない部分（非近傍部分）の形態が変更されてもよい。例えば、重ね合わせ部６１において内開口部７１に対応しない部分（非近傍部分）については、部分的又は全体的に結合されてもよい。この結合の手段としては、縫合であってもよいし、接着であってもよい。このように変更されることで、重ね合わせ部６１において内開口部７１に対応する部分だけ両弁体部７３，７４として作動させ、対応しない部分が不要に動く現象、例えば、ばたつく現象を抑制することができる。
【０１４０】
そのほかにも、重ね合わせ部６１において内開口部７１に対応しない箇所の少なくとも一部に切欠きが入れられてもよい。
・区画部材５０と両弁体部７３，７４とは、互いに異なる部材によって構成されてもよい。
【０１４１】
・二つ折り状態の区画部材５０における折り線５１は、エアバッグモジュールＡＭの上下方向に対し多少傾斜していてもよい。
・両内結合部６３間の結合を解除される箇所は、必ずしも折り線５１を跨ぐ部分に設けられなくてもよく、折り線５１から、同折り線５１に直交する方向へ外れた箇所に設けられてもよい。
【０１４２】
・両内結合部６３間の結合を解除される箇所は、複数設けられてもよい。
・両弁体部７３，７４を含む一対の重ね合わせ部６１は、膨張部の展開膨張前に上流側膨張部４７に代えて、下流側膨張部４８に配置されてもよい。
【０１４３】
・折り線５１に沿って折り返されることにより、相対向する対向端部５２，５３を接近させてなる二つ折り状態の区画部材５０は、折り線５１を対向端部５２，５３よりも下流側に位置させた状態で非膨張展開状態の膨張部に配設されてもよい。この場合、両弁体部７３，７４を含む重ね合わせ部６１が、膨張部の展開膨張前に下流側膨張部４８に配置されてもよい。
【０１４４】
・区画部材５０の上下両部材５６，５７では、それらの端部５８，５９の端縁５８Ｅ，５９Ｅ同士が合致していない状態で、端部５８，５９同士が帯状に重ね合わされてもよい。
【０１４５】
・上記弁は、上流側膨張部４７の内圧に応じ、同上流側膨張部４７から下流側膨張部４８への膨張用ガスの流通を規制及び規制解除するものであってもよい。例えば、弁は、スリット、ベントホール等であってもよい。この場合、弁は、内圧の低いときには、膨張用ガスの流通を規制し、内圧がある値を上回ったら流通の規制を解除する、すなわち、流通を許容するものであってもよい。
【０１４６】
＜膨張部について＞
・エアバッグ４０は、その略全体が上記実施形態のように膨張部からなるものであってもよいが、膨張用ガスが供給されず膨張することのない非膨張部を一部に有するものであってもよい。
【０１４７】
・膨張部は区画部材によって３つ以上の部位に区画されてもよい。この場合、膨張部において区画部材を挟んで膨張用ガスの流れ方向に隣り合う２つの部位について、上流側（インフレータ３１に近い側）に位置するものが上流側膨張部とされ、下流側（インフレータ３１から遠い側）に位置するものが下流側膨張部とされる。そして、これらの上流側膨張部及び下流側膨張部間の区画部材に調圧弁が設けられる。
【０１４８】
・下保護膨張部４９は、シートバック１４内のみで展開膨張するものであれば、腰部ＰＰの後部よりも広い領域、例えば腰部ＰＰ全体の側方で展開膨張するものであってもよい。
【０１４９】
・下保護膨張部４９は、シートバック１４を破断して前方へ展開膨張するものであってもよい。
＜エアバッグ４０の折りについて＞
・非膨張展開状態のエアバッグ４０に対し行なわれる第１の折りとしては、同エアバッグ４０の上部が、折り線１０５に沿って車外側又は車内側の下方へ折り返されるほかにも、同上部がそれ以外の箇所の内側に位置するように、下方へ折り返されてもよい。この折り態様は、中折り、内折り等とも呼ばれるものと同じである。この第１の折りの実施に際しては、エアバッグ４０の車内側の布部４３及び車外側の布部４４に対し、それぞれ前後方向に延びる折り線が設定される。各布部４３，４４において折り線よりも上側部分が、下側部分の内側へ折り返される。これらの折り返しにより、各折り線よりも上側部分がエアバッグ４０内に入り込み、隠れた状態となる。
【０１５０】
・第２の折りの折り態様が上記実施形態とは異なるものに変更されてもよい。例えば、上流側膨張部４７及び下流側膨張部４８の両方に対し、第２の折りとして蛇腹折りが行なわれてもよいし、ロール折りが行なわれてもよい。また、上記実施形態とは逆に、上流側膨張部４７に対しロール折りが行なわれ、下流側膨張部４８に対し蛇腹折りが行なわれてもよい。
【０１５１】
＜インフレータアセンブリ３０について＞
・インフレータアセンブリ３０はエアバッグ４０の外部に設けられてもよい。この場合には、インフレータ３１と上流側膨張部４７とが管によって繋がれ、この管を介してインフレータ３１からの膨張用ガスが上流側膨張部４７に供給されてもよい。
【０１５２】
＜エアバッグモジュールＡＭの収納部１８について＞
・車両用シート１２のシートバック１４に代えて、ボディサイド部１１に収納部１８が設けられ、ここにエアバッグモジュールＡＭが組み込まれてもよい。
【０１５３】
＜その他＞
・本発明は、上述した腰部ＰＰから胸部ＰＴ及び肩部ＰＳにかけての部位に限らず、腰部ＰＰから胸部ＰＴにかけての部位、腰部ＰＰから肩部ＰＳにかけての部位、腰部ＰＰから頭部にかけての部位、腰部ＰＰよりも上側の部位（腰部ＰＰを除く）、例えば胸部ＰＴ等を側突等の衝撃から保護するサイドエアバッグ装置にも適用可能である。
【０１５４】
・本発明は、シートバック１４が車両１０の前方とは異なる方向、例えば側方（車幅方向）を向く姿勢で車両用シート１２が配置された車両１０において、その車両用シート１２に対し側方（車両１０の前後方向）から衝撃が加わった場合に、同衝撃から乗員Ｐを保護するサイドエアバッグ装置にも適用可能である。
【０１５５】
・本発明のサイドエアバッグ装置が適用される車両には、自家用車に限らず各種産業車両も含まれる。
・本発明は、車両に限らず、航空機、船舶等の乗物に装備されるサイドエアバッグ装置にも適用可能である。
【符号の説明】
【０１５６】
１０…車両（乗物）、１２…車両用シート（乗物用シート）、１８…収納部、３１…インフレータ、４０…エアバッグ、４６…上保護膨張部、４７…上流側膨張部、４８…下流側膨張部、４９…下保護膨張部、５０…区画部材、７０…調圧弁（弁）、７１…内開口部（開口部）、７３，７４…弁体部、Ｇ…膨張用ガス、Ｐ…乗員、ＰＩ…内圧、ＰＰ…腰部、ＰＳ…肩部、ＰＴ…胸部。
【図１】
0005724909.tif 000002
【図２】
0005724909.tif 000003
【図３】
0005724909.tif 000004
【図４】
0005724909.tif 000005
【図５】
0005724909.tif 000006
【図６】
0005724909.tif 000007
【図７】
0005724909.tif 000008
【図８】
0005724909.tif 000009
【図９】
0005724909.tif 000010
【図１０】
0005724909.tif 000011
【図１１】
0005724909.tif 000012
【図１２】
0005724909.tif 000013
【図１３】
0005724909.tif 000014
【図１４】
0005724909.tif 000015
【図１５】
0005724909.tif 000016
【図１６】
0005724909.tif 000017
【図１７】
0005724909.tif 000018
【図１８】
0005724909.tif 000019
【図１９】
0005724909.tif 000020